(57)【要約】【課題】液体を利用して発生する音に深みを与えて、優れた癒し効果を発揮させる音具を提供すること。【解決手段】一方向に長い筒状であって、内側が外部から封止されている共鳴管２０と、共鳴管２０内の一部に収容された液体１２とを備え、共鳴管２０は、その内側の長手方向が複数の内部空間Ｓ１，・・・，Ｓｎに区分けされるように、仕切り板２４を有しており、仕切り板２４の一部には、液体１２が複数の内部空間Ｓ１，・・・，Ｓｎを移動するための貫通孔２６が形成されている。【選択図】図３
2008111988.tif 000002
【特許請求の範囲】
【請求項１】
一方向に長い筒状であって、内側が外部から封止されている共鳴管と、
前記共鳴管内の一部に収容された液体と
を備え、
前記共鳴管は、その内側の長手方向が複数の内部空間に区分けされるように、仕切り板を有しており、
前記仕切り板の一部には、前記液体が前記複数の内部空間を移動するための貫通孔が形成されている
ことを特徴とする音具。
【請求項２】
前記仕切り板には、前記貫通孔の一部を塞ぐように突出した舌片が設けられていることを特徴とする請求項１に記載の音具。
【請求項３】
前記液体の量は、前記共鳴管の容積の半分であることを特徴とする請求項１または２に記載の音具。
【請求項４】
前記共鳴管には複数の前記仕切り板が設けられており、その複数の仕切り板の夫々に形成された前記貫通孔は、垂直視した場合に重なっていないことを特徴とする請求項１ないし３のいずれかに記載の音具。
【発明の詳細な説明】
【技術分野】
【０００１】
本発明は、液体を利用した音具に関する。
【背景技術】
【０００２】
水の音には、気持ちを落ち着かせたり、心を安らげたりする癒しの効果があることがわかっている。このため、川や波などの水の音を録音したＣＤ（コンパクトディスク）等がよく販売されている。
また、水の音そのものを音色にする楽器もある。図４は、水の音を利用した従来の楽器１の概略図であり（例えば、特許文献１参照）、共鳴管２の中に液体３が貯められており、その上から液体４を垂らして液面３ａに衝突させることで音を発生させる楽器となっている。
【０００３】
【特許文献１】特開２００１―３０６０６０の公開公報
【発明の開示】
【発明が解決しようとする課題】
【０００４】
しかしながら、川や波等の水の音を録音したＣＤでは、自然の水の音に比較して癒し効果が薄いと言わざるを得ない。
また、図４の楽器１は水の音を利用しているが、貯められた液体３と落下した液体４とが衝突して発声する音を共鳴させただけの楽器であり、自然の川や波などで発生する音とは、やはり異なっている。
【０００５】
本発明は、液体を利用して発生する音に深みを与えて、優れた癒し効果を発揮させる音具を提供することを目的とする。
【課題を解決するための手段】
【０００６】
上記の目的は、請求項１の発明によれば、一方向に長い筒状であって、内側が外部から封止されている共鳴管と、前記共鳴管内の一部に収容された液体とを備え、前記共鳴管は、その内側の長手方向が複数の内部空間に区分けされるように、仕切り板を有しており、前記仕切り板の一部には、前記液体が前記複数の内部空間を移動するための貫通孔が形成されている音具により達成される。
【０００７】
請求項１の構成によれば、一方向に長い筒状であって、その内側が外部から封止されている共鳴管と、この共鳴管内の一部に収容された液体とを備えている。したがって、液体を共鳴管の長手方向の下側に溜めた状態から、共鳴管を上下反転させると、液体は落下して共鳴管に衝突し、これにより音が発生する。
また、共鳴管は、その内側の長手方向が複数の内部空間に区分けされるように、仕切り板を有しており、仕切り板の一部には、液体が複数の内部空間を移動するための貫通孔が形成されている。このため、液体を共鳴管の長手方向の下側に溜めた状態から、共鳴管を上下反転させると、液体は上の内部空間から貫通孔を通って下の内部空間に移動することになる。この際、上の内部空間には液体が減少した分だけ空気が入り、上の内部空間の液体内で気泡となって上昇し、液面で破裂したり液体を揺らしたりして音を発生させる。
したがって、液体が落下して共鳴管に衝突することで発生する音だけではなく、気泡が破裂したり液体を揺らしたりして発生する音が加わって、様々な音色を出すことができる。
【０００８】
請求項２の発明は、請求項１の構成において、前記仕切り板には、前記貫通孔の一部を塞ぐように突出した舌片が設けられていることを特徴とする。
請求項２の構成によれば、仕切り板には、貫通孔の一部を塞ぐように突出した舌片が設けられている。したがって、例えば、大量の液体が一度に貫通孔を通って落下してしまうような大きな貫通孔が形成されてしまっても、舌片により液体が貫通孔を通る量を調整して、音が発生している時間を延ばすことができる。
【０００９】
請求項３の発明は、請求項１または２の構成において、前記液体の量は、前記共鳴管の容積の半分であることを特徴とする。
請求項３の構成によれば、液体の量は共鳴管の容積の半分であるため、液体が落下して衝突することで発生する音と、液体内を気泡が上昇することで発生する音との配分が半分ずつとなって、深みのある音を出すことができる。
【００１０】
請求項４の発明は、請求項１ないし３のいずれかの構成において、前記共鳴管には複数の前記仕切り板が設けられており、その複数の仕切り板の夫々に形成された前記貫通孔は、垂直視した場合に重なっていないことを特徴とする。
請求項４の構成によれば、複数の仕切り板の夫々に形成された貫通孔は、垂直視した場合に重なっていない。したがって、液体が仕切り板に衝突せずに複数の貫通孔を通り抜けるような事態を防止し、長い時間にわたって、音を発生させることができる。
【発明の効果】
【００１１】
以上述べたように、本発明によれば、液体を利用して発生する音に深みを与えて、優れた癒し効果を発揮させる音具を提供することができる。
【発明を実施するための最良の形態】
【００１２】
図１ないし図３は、本発明の音具１０の実施形態を示しており、図１はその概略斜視図、図２は図１のＡ−Ａ線概略断面図、図３は図１のＢ−Ｂ線概略断面図である。
なお、理解の便宜のため、図１は後述する共鳴管を覆う所定の材料を剥がして図示してある。また、図３は共鳴管全体を所定の材料が覆った状態で切断した場合の断面図である。
これらの図において、音具１０は音を発生させる用具であり、楽器や環境演出用具あるいは玩具等として用いることができる。本実施形態の場合、音具１０は、心を落ち着かせる等の癒し効果を目的とした用具として例示されている。
【００１３】
音具１０は、共鳴管２０と、この共鳴管２０の内側に収容された液体１２とを備えている。
共鳴管２０は、一方向に長い筒状であって自立できるようになっており、図３に示すように、内側に空間Ｓが形成されている。なお、図１〜図３の共鳴管２０は円筒状となっているが、本発明はこれに限られるものではなく、例えば水平断面が多角形となっていてもよい。
そして、図３に示すように、共鳴管２０の内側の空間Ｓは、長手方向の両端部に設けられた蓋体２２によって、外部から封止されている。
蓋体２２は、好ましくは、胴体２３と一体に形成されおり、共鳴管２０を自立させる必要性から、内側に凹むように折り曲げ加工されて剛性力が高められている。
【００１４】
また、共鳴管２０は、管内の音を共鳴することができれば、プラスチックや金属材料などを問わずに形成することができるが、好ましくは、金属材料、本実施形態の場合は、手で押して形状が変形する程度の厚みを有し、所定の弾性力を発揮するアルミニウムが用いられている。
【００１５】
ここで、共鳴管２０は、その内側の空間Ｓの長手方向が、複数の内部空間Ｓ１，Ｓ２，Ｓ３，・・・，Ｓｎに区分けされるように、複数の仕切り板２４，２４，・・・を有している。
複数の仕切り板２４，・・・は、長手方向に等間隔に配置され、複数の内部空間Ｓ１，Ｓ２，Ｓ３，・・・，Ｓｎは、それぞれ同じ容積を有している。なお、内部空間の数は、後述する液体の滴下時間を考慮すると多いほどよいが、本実施形態の場合は６つの内部空間としている。
また、仕切り板２４も、共鳴管２０の胴体２３と同様に、手で押して形状が変形する程度に薄く形成され、所定の弾性力を有する金属材料、本実施形態の場合はアルミニウムが用いられている。
【００１６】
そして、各仕切り板２４の一部には、液体１２が複数の内部空間Ｓ１〜Ｓｎを移動するための貫通孔２６が形成されている。
すなわち、貫通孔２６は、液体１２が隣接する内部空間に移動するための孔であって、仕切り板２４の厚み方向に貫通している。
具体的には、複数の仕切り板２４，・・・に設けられている複数の貫通孔２６，・・・のうち、少なくとも隣り合う二つの貫通孔２６，２６について、垂直視した場合に重ならないように形成されている。
また、本実施形態の貫通孔２６は、図２に示すように、その開口面積が仕切り板２４の水平面積の少なくとも５分の１以下に形成されており、液体１２が隣接する内部空間にすぐに移動しないようになっている。
【００１７】
また、各仕切り板２４には、図２及び図３に示すように、貫通孔２６の一部を塞ぐように突出した舌片３４が設けられている。
この突出部である舌片３４は、貫通孔２６の開口面積を調整する調整弁であって、貫通孔２６を通る液体１２の量あるいは速度を制御している。すなわち、各内部空間Ｓ１，・・・，Ｓｎは、貫通孔２６以外は封止された空間であるため、液体１２を貫通孔２６から落下させるためには、貫通孔２６はある程度の大きさが必要となる。一方、貫通孔２６が大き過ぎると、液体１２が隣接する内部空間にすぐに移動してしまう。そして、この貫通孔２６を通る液体１２の落下量や落下速度に応じて、後述して発生する音も変化する。このため、貫通孔２６の開口面積は、貫通孔２６を通る液体１２の流量や流速、そして音を決める重要な構成であり、舌片３４によって、上記流量・流速・音色を調整している。
【００１８】
本実施形態の共鳴管２０は、概ね以上のように構成されており、共鳴管２０を立てておくと、中の液体１２は重力により下側に溜まった状態となり、この液体１２が下側に溜まった状態で、上下を反転（１８０度反転）させると、上側にある液体１２が貫通孔２６を通って落下する。そうすると、図３に示すように、液体１２は落下して仕切り板２４等の共鳴管２０や液体１２に衝突し、これにより音が発生する。
また、共鳴管２０の仕切り板２４の一部には、液体１２が複数の内部空間Ｓ１〜Ｓｎを移動するための貫通孔２６が形成されている。このため、上述のように共鳴管２０の上下を反転させると、液体１２は、例えば内部空間Ｓ１から貫通孔２６を通ってその下の内部空間Ｓ２に移動することになる。この際、上の内部空間Ｓ１には液体１２が減少した分だけ空気が入り、内部空間Ｓ１の液体内で気泡Ｅとなって上昇し、液面で破裂したり液体１２を揺らしたりして音を発生させることができる。
【００１９】
より具体的に、音具１０は以下のように製造されている。
まず、共鳴管２０は、環境問題の観点から、飲料用空き缶３０（図３の場合は１３５ｍｌのビールの空き缶）を利用するようにしており、少なくとも一部の空き缶３０ｂ，・・・３０ｎについて、開けられた飲み口を有する上蓋が上述した仕切り板２４となるようにして、複数の飲料用空き缶３０ａ，３０ｂ，３０ｃ，・・・３０ｎを連設して形成されている。
【００２０】
すなわち、隣接する２つの空き缶３０ａ，３０ｂは、一方の空き缶３０ａの胴部３２を周方向に切断して開口部２８を形成し、この開口部２８に他方の空き缶３０ｂの胴部３２を嵌合して連設されている。
本実施形態の場合、３つ以上の空き缶を利用しており、長手方向に一列につなげた複数の空き缶３０ａ，・・・３０ｎの両端の空き缶３０ａ，３０ｎについては、それぞれ底蓋を外側に配置して蓋体２２，２２としている。
また、両端の空き缶３０ａ，３０ｎの内、一方の空き缶３０ａについては、上蓋を除去するように胴部３２を周方向に切断して開口部２８を形成し、他方の空き缶３０ｎについては、胴部３２を切断しないようにしている。
また、長手方向の両端の空き缶３０ａ，３０ｎに挟まれている空き缶３０ｂ，・・・については、仕切り板２４となる上蓋を残し、底蓋を除去するように胴部３２を周方向に切断して開口部２８を形成している。
そして、各開口部２８の内面に各上蓋側の胴部３２の外面を嵌合させて、複数の空き缶３０ａ，・・・３０ｎを接続している。
【００２１】
これにより、複数の空き缶３０ａ，・・・３０ｎの内側の各々を上述した内部空間Ｓ１，・・・，Ｓｎの夫々とすることができる。また、両端の空き缶３０ａ，３０ｎのうち一方の空き缶３０ａを除く空き缶３０ｂ，・・・３０ｎについて、各上蓋を仕切り板２４とすることができる。また、この上蓋を残した空き缶３０ｂ，・・・３０ｎは、飲み口形成用の摘みであるプルタブを引っ張って飲み口が開けられているため、この開けられた飲み口を上述した貫通孔２６とすることができる。
また、複数の空き缶３０ａ，・・・３０ｎどうしを接着剤などで接合しなくても連設でき、発生した音を接着剤で吸収するような事態を防止することができる。
【００２２】
さらに、本実施形態の場合、図２に示すように、仕切り板２４である上蓋に接続されている摘みであるプルタブは、飲み口が開けられた後であっても上蓋に片持ち式に接合されており（即ち、飲み口を開けても上蓋から離れないＳｔａｙ−ｏｎ ｔｈｅ ＴＡＢタイプ）、このプルタブを除去せずに飲み口である貫通孔２６の一部を塞ぐように突出させている。このため、このプルタブが貫通孔２６の一部を塞ぐように突出した舌片３４となって、上述のように貫通孔２６を通る液体の流量等を調整している。具体的には、プルタブである舌片（以下、単に「舌片」という）３４は、仕切り板２４との接合部ＯＰを支点に変位可能となっており、貫通孔２６を塞ぐ一部の面積を任意に変えることで、流量等を調整している。
【００２３】
なお、舌片３４は仕切り板２４に対して片持ち式に接合されているため、液体の流量や流速などに応じて、液体が通る際に振動する場合があり、複雑な音色を発生させる要因ともなる。
また、舌片３４は、その厚み方向に貫通した指がかりとなる孔３４ａが設けられており、この孔３４ａは、貫通孔２６と重なることで、貫通孔２６と協働して隣接する内部空間どうしをつなぐ通路となる。図２の場合、孔３４ａと貫通孔２６とがつながっている領域の開口面積（図２の実線の平行斜線で示す部分）は、貫通孔２６の舌片３４（孔３４ａの面積を含む）で隠された以外の開口面積（図２の点線の平行斜線で示す部分）に比べて小さくなっている。
また、各仕切り板２４に接合された舌片３４は、複数の仕切り板２４，・・・の夫々に形成された各貫通孔２６を塞ぐ面積を変えるように突出しもよく、これにより、各内部空間Ｓ１，・・・，Ｓｎで発生する音を異ならせることができる。
【００２４】
このように飲料用空き缶を利用して形成された共鳴管２０については、図３に示すように、その全体が防水材料４０で覆われている。
すなわち、上述のように、複数の空き缶３０ａ，・・・は嵌合して接続されているだけであり、図１に示すように、嵌合部分から液体１２が漏れる恐れがある。この点、嵌合部分にコーキング材等を塗布してみたが、上述のように、胴部３２は手で押して形状が変形する程度の厚みしか有していないため、落下等で嵌合部分が変形し易く、コーキング材で十分に防水できなかった。また、その恐れを防止するために多量のコーキング材を嵌合部分に塗布すると音が変化してしまう。このため、図３に示すように、共鳴管２０全体を防水材料４０で覆って、外部に液体１２が漏れることを防止した。  
【００２５】
具体的には、防水材料４０も環境問題の観点から、濡れた傘に付着した雨水が店舗内で落ちないように無料で配られるビニール袋を利用している。
例えば、この傘を入れるビニール袋（以下、単に「防水材料４０」という）を切断して共鳴管２０全体を覆った後、その端部を集束させて捩り、この捩った部分４２を蓋体２２の外側に臨んで窪んだ凹部２２ａの内側に収容している。そして、この捩った部分４２は、液体１２が漏れないようにコーキング材４４で防水加工・接着されている。
また、この防水材料４０は共鳴管２０を多重に覆うことが好ましく、本実施形態の場合は二重にしている。この際、一重目の防水材料４０ａの捩った部分４２は、両端の蓋体２２，２２のうち一方の蓋体２２の凹部２２ａに収容し、二重目の防水材料４０ｂの捩った部分４２は、他方の蓋体２２の凹部２２ａに収容して、捩った部分４２が出っ張らないようにしている。
【００２６】
なお、蓋体２２は、その周縁部が中心部に向かって傾斜し、上述のように中心部が凹部２２ａとなっている。そこで、音具１０の角部に直角度を出し、長手方向の両端に水平度を出すため、蓋体２２に接する胴部３２や、凹部２２ａの外側であって防水材料４０の表面に、アクリル等でなる硬質の平板状の板材４６を配置している。
そして、この板材４６や防水材料４０の表面を、肌触りのよい薄手の材料３７、例えば紙・布・タオル地・コルクで覆って、音具１０を完成させている。
【００２７】
共鳴管２０は以上のように形成されているが、この共鳴管２０内に収容されている液体１２については、次のような構成とすることがより好ましい。
まず、液体１２は、その種類によって音色を異ならすことができるが、本実施形態の場合、より自然な音を発生させるため、水を用いている。なお、液体１２に油を用いる場合は、環境問題の観点から廃油を採用するとよい。
そして、液体１２は、共鳴管２０の容積の半分だけ収容することが好ましい。すなわち、上述のように、音具１０は、液体１２の共鳴管２０に衝突する音（以下、単に「衝突音」という）と、内部空間Ｓ１〜Ｓｎ内に入った気泡Ｅが上昇することで生ずる音（以下、単に「破裂音」という）とにより、様々な音を出すようになっている。そうすると、液体１２の量が共鳴管２０の容積の半分より多いと、衝突音が破裂音に比べて少なくなる。逆に、液体１２の量が共鳴管２０の容積の半分より少ないと、破裂音が衝突音に比べて少なくなる。したがって、衝突音と破裂音との双方が最も多く重なるのが、液体１２の量が共鳴管２０の容積の略半分の場合である。なお、ここにいう「半分」とは、正確な５０％を指すものではなく、衝突音と破裂音とが重ならない時間が僅かにあってもよい量である。
【００２８】
本発明の実施形態は以上のように構成されており、液体１２を共鳴管２０の内底や仕切り板２４に衝突させて音を発生させることができる。また、液体１２が上の内部空間から貫通孔２６を通って下の内部空間に移動する際、上の内部空間に空気が入って気泡Ｅとなって上昇し、液面で破裂したり液体１２を揺らしたりして音を発生させることができる。したがって、音具１０は複数の異なる音色を発生させて深みのある音を出すことができる。しかも、本実施形態の場合、図２に示すように、液体１２が仕切り板２４を通る路は、舌片３４で区切られて複数（貫通孔２６、及びこの貫通孔２６と孔３４ａとが重なる部分）となっているため、より複雑な音を発生させることができる。
【００２９】
本発明は上述の実施形態に限定されない。各実施形態の各構成はこれらを適宜組み合わせたり、省略したりし、図示しない他の構成と組み合わせることができる。
例えば、本実施形態の共鳴管２０は飲料用空き缶３０を利用して形成しているが、本発明はこれに限られず、例えば、金型内に金属或いは樹脂材料を充填して、一本の筒状の共鳴管を形成するようにしてもよい。
また、貫通孔２６の一部を塞ぐようにした舌片３４を飲料用空き缶のプルタブを利用して形成しているが、例えば、仕切り板２４に、プルタブとは異なる別の部材を接合することで舌片３４を形成するようにしても勿論よい。
【図面の簡単な説明】
【００３０】
【図１】本発明の実施形態に係る音具の概略斜視図。
【図２】図１のＡ−Ａ線概略断面図。
【図３】図１のＢ−Ｂ線概略断面図。
【図４】水の音を利用した従来の楽器の概略図。
【符号の説明】
【００３１】
１０・・・音具、１２・・・液体、２０・・・共鳴管、２４・・・仕切り板（空き缶の上蓋）、２６・・・貫通孔（開けられた飲み口）、Ｓ１，Ｓ２，Ｓ３，Ｓｎ・・・内部空間、３０・・・空き缶、３４・・・舌片（プルタブ）、４０・・・防水材料
【図１】
2008111988.tif 000003
【図２】
2008111988.tif 000004
【図３】
2008111988.tif 000005
【図４】
2008111988.tif 000006